(57)【要約】【課題】  墓石で小高い傾斜面に作られる場合があり下風からの強風等で献花が散乱し又、献花を烏が花瓶から取り出し墓地の周辺を散乱をするのを防止し良環境への対策。【解決手段】  長筒状の花瓶の口元部にＵ字形（ねじ付）バ−（２）を取付け、Ｕ字形のバ−と断面がＶ字形を持つ押さえ板（３）の間で花茎（３０ａ）を花瓶の本体（１）の外側の蝶ナット（５）の締めあげにて固定する。尚、蝶ナット取付板（４）は蝶ナットの取付けを安定にするもの。  墓石の花瓶台（２０）の口元部の欠けの防止とカタカタの騒音防止の為に花瓶（１）の外径と花瓶台の口元部の面取り部に弾性体部材を入れて構成している。【選択図】図１
0003148234.tif 000002
【実用新案登録請求の範囲】
【請求項１】
墓石などの花瓶台に使用の花茎の長い献花用の花に使用する長筒状の花瓶に於いて、
イ）  献花の花茎の挿入口部にＵ字形バ−の取付孔を持つ長筒状の花瓶の本体に、
ロ）  断面がＶ字形で両端部にＵ字形バ−の取付孔がある押さえ板、
ハ）  断面がコ字形で両端部にはＵ字形バ−の取付孔をもつ蝶ナットの取付板、
以上の構成部品をもって、
花瓶の本体に花茎の長い献花用の花を挿入し、花茎の束の外周をＵ字形バ−の曲げの半径Ｒ内と押さえ板で挟み、花瓶の本体の外側で取付板上の蝶ナットを締きあげことで、
献花用の花茎を長筒状の花瓶に固定する事が出来るを特徴とする献花用の花立て。
【請求項２】
花茎の長い献花用の花に使用する長筒状の花瓶を墓石の花瓶台に使用する際にて、
イ）  花瓶の取付け側に面取角θ＝６０度を設ける墓石の花瓶台に、
ロ）  墓石の花瓶台の面取り部の円錐面（６０度）に弾性体部材をセットし、
ハ）  花瓶の本体の花瓶の傘の内側に弾性体部材を押さえのカラ−を使用し、
花茎の長い献花用の花を花瓶にセットし、花瓶の本体を上から軽く押さえてカタカタの動きを防止する弾性体部材の使用を特徴とする献花用の花立て。
【請求項３】
花茎の長い献花用の花に使用する長筒状の花瓶を墓石等の花瓶台に使用する際にて、
イ）  花茎を挿入する側に孔を３ケ設けた花瓶の本体に、
ロ）  花茎を束にした結び用のひもに、一端の玉付きの鎖とを締結し、
ハ）  他方側の玉付きの鎖を花瓶の孔に締結し、
花茎と花瓶とを締結することを特徴する献花用の花立て。
【考案の詳細な説明】
【技術分野】
【０００１】  本考案は、墓地の献花用の花立てに関するもの。イ）特に風又は烏などによって花茎が花瓶からの飛散の防止対策。  ロ）墓石の花立てと花瓶との嵌めあわせ部の騒音防止。
【背景技術】
【０００２】  従来、墓地などにおいて使用する花立ては、底付き筒状の本体を有するものであって、この本体を石材などに設けられた凹状の保持部又は墓地などの地中に埋設された尖端を有する筒状の保持部に挿入して使用されていた。そして、これらの花立て本体は、一般的な花瓶などに比べて花（茎部分）を深く挿入できるようになっており、花立てに立てられた花に対して多少の横風が作用しても、これらによって花が倒れないことを目的として構成されていた。【０００３】  これらに関しては、重りにひっかけ具を設け、献花の花茎部をひっかけ具に結束バンドで一体化したもの（特許文献１）。
また、基部（重りの役目）に棒状部材を取付けのものを花立ての中に挿入して、（イ）花の茎部分に棒状部材を突き刺す。（ロ）棒状部材の頭部に花茎を紐状部材で掛止するもの（特許文献２）。
などが開示されている。【０００４】  又、台風・季節風などにより、墓石の花立ての内径と献花用の花瓶の嵌めあわせ挿入部（外径との隙間）から発生するカタカタの動きの騒音・墓石の花立て挿入口部のカケの防止（特許文献３）が開示されている。【０００５】
【特許文献１】  特開２００２−１６１６５１号
【特許文献２】  特開２００３−１２９６９６号
【特許文献３】  特開２００６−３１６４７７号
【考案の開示】
【考案が解決しょうとする課題】
【０００６】  前記に記載する特許文献は、花立て本体に付設の棒状部材などに花茎を紐状部材（又は結束バンド）にて取付けのものが公開されているが作業性が悪く、また面倒である。
【０００７】  本考案は、かかる従来技術の問題点を解決するためのもので、その目的は、従来から使用のものに若干の手を加え数点の部品を追加して、図５（ｂ）の様に花瓶の本体の口元部の上部位置に孔（１ｃ）を３ケあけ、花茎（３０ａ）の２ケ所にゴムバンド（６ｂ）を付け、上部のひも（６ａ）に玉つき鎖（７）ひもの一端を縛り、他端は花瓶にあけた孔（１ｃ）にそれぞれを結びつけ信頼性等を確認中であったが、時間の経過に伴い玉付き鎖（７）の錆および取付けの手間が多くかかり簡便なものが希望されていた。
【０００８】  また、墓石が傾斜面の高台に設置されるなどの環境状態は上向きの風・強風が作用したとき花茎の縛りが緩い為に花瓶より花茎が外れたりする。また、烏の群れ軍団等が花茎・花などを食い散らして墓石周辺の環境が悪いためにその対応が強く要望されていた。
【０００９】且つ、墓石の花瓶台の取付けの内径と献花用の花瓶の本体の外径との嵌めあわせの為に横風が花・花茎などに作用するとガタガタして墓石の花瓶台の取付け口元の墓石が「カケ」たり、またガタガタ音が発生するなどの雑・騒音が発生する為の解消が望まれていた。
【課題を解決するための手段】
【００１０】  本考案は、前記のことを解決するために図１に示すもので解決したので順を追って以下に述べる。
【００１１】  従来より使用の花瓶の本体の入り口（花の挿入口）部にＵ字形のバ−の取付けの２ケ孔に、花茎（３０ａ）をＵ字形（ねじ付）のバ−（２）にて挟み、押さえ板（３）との間にて花茎を蝶ナット（５）の締めつけにてしっかりと固定する。故に、蝶ナットの締め加減にて花茎の締めつけ力は加減される。なお、花茎の縛り付けは、銅線（線径は０．６ミリ程度）（６）にて図の如き上・下側部に程よい位置にて使用する。
なお、銅線は、花茎を束ねたことで花瓶の中に挿入する時に容易になる。また、花茎を花瓶の中でセンタ−リングし易くする為に図の様に銅線の結び方を両端にて花瓶の内径に接する様な形状寸法にして組み入れする。
水（４０）は、花茎（３０ａ）を花瓶の中にセットした後で、Ｕ字形（ねじ付）バ−（２）に蝶ナット（５）を取付け締めつけた後に入れる。
【００１２】  一方、墓石の花瓶台の花瓶の取付け口（２０ａ）の面取り（２０ｃ）部に弾性体のＯ（オ−）リングを墓石の花瓶台の花瓶の取付け口の面取り（２０ｃ）部の面取角θ≒６０度の面に取付け、花瓶の本体の花瓶の傘（１ａ）の内側に使用のカラ−（１２）にて上側から押さえ付ける。なお、このＯ（オ−）リング（１１Ａ）の代わりにテ−パ付カラ−（１１Ｂ）を使用してより確実なカタカタの音を無くす為に使用する。
【考案の効果】
【００１３】  本考案の墓地の献花用の花立は、花茎（３０ａ）の任意の上下の２ヶ所の位置で線径φ０．６ミリの銅線（６）にて縛り後、花茎（３０８）尖端を花瓶の本体（１）に挿入しながらＵ字形バ−（２）で花茎をはさみ、押さえ板（３）のねじ孔（３ａ）と花瓶の本体（１）のねじ孔（１ｂ）と蝶ナット取付板（４）のねじ孔（４ａ）に通した後で、蝶ナットで図１の様に除々に締めあげると、花茎（３０ａ）は図２に示す様に、Ｕ字形バ−の円弧の内側（半径Ｒ）と押さえ板（３）の凸部（３ｂ）の間にて花茎は、くさび作用にて花瓶の本体（１）にしつかりと位置も固定される。
よって、花の花茎は突風・台風又は烏などによる散乱を防ぐ事ができる。
【００１４】  なお、墓石の花瓶台（２０）に献花の花茎を前記の要領でセットした花瓶の本体（１）を取付け時は、図４に示す様に墓石の花瓶台の花瓶の取付け口部が、約６０度の面取り（２０ｃ）されたところに丸形断面のＯリング（１１Ａ）を上から押さえのカラ−（１２）を介して花瓶の本体（１）に固着の花瓶の傘（１ａ）にて押さえることで、墓石の花瓶台（２０）と花瓶の本体（１）の直接の折触を避けるのでカタカタの動きを止めることが出来る。
なお、図４（ｄ）に示す本考案の第２の弾性体のテ−パ付カラ−（１１Ｂ）は、よりカタカタの動きを止めるためのものである。
【考案を実施するための最良の形態】
【００１５】  以下、本考案の実施の形態を実施例１に、その後に関連の他の実施例について述べる。【００１６】  図１の実施例１は、墓石の花瓶台（２０）に献花用の花瓶の本体（１）に献花の花茎（３０ａ）が、Ｕ字形バ−（２）と押さえ板（３）にて挟まれ蝶ナット（５）によって固定され、花瓶の本体が花瓶台にセットされている概要図のものを示している。【００１７】  １の花瓶の本体は、献花用の花茎（３０ａ）を収納するために長筒状を呈し、断面は円形をなし、一端は底をなし、他端は花茎を挿入するのに容易な形状とデザインからラッパ状に開口している。尚、ラッパ状に開口した部分にＵ字形のバ−（２）を取付けの孔（１ｂ）が２ケ設けられている。材質は、錆に強いステンレス材（又は鋼材で表面をメッキ）を使用している。
尚、本品の代わりに、ゴム紐の使用もある（図省略）が老化等の耐久性から割愛した。
１ａの花瓶の傘は、花瓶の本体（１）のラッパ状の側に設けられているステンレス材（又はプレス鋼材）にて成形され、花瓶の本体に固着（ロ−付け又は接着）されている。
尚、端面が墓石の花瓶台（２０）で取付け時（高さ方向）の位置決めになっている。
２のＵ字形バ−は、Ｕ字形した鋼材（又はステンレス材）の丸棒でその両端部には、蝶ナットと螺合するねじ（２ａ）をもっている。なお、表面は防錆処理をしている。【００１８】  ３の押さえ板は、献花の花茎（３０ａ）を花瓶の本体（１）に用いるＵ字形バ−（２）と押さえ板（３）の間で挟むもので、凸部（３ｂ）した山の角度（γ）を持ち両側にＵ字形バ−を通す為の孔（３ａ）を持ち且つ、両端部には花瓶の本体の内径との当たりを良好にするために面取角（θ）を付設している。
４の蝶ナット取付板は、両端部が直角に折り曲げられ、Ｕ字形バ−のねじを通す孔が２ケあいている。花瓶の本体の丸い直径を抱く側に、両端の曲げ部が来るようにして（Ｕ字形バ−の両側のねじを蝶ナット取付板の孔に通し）その後に、蝶ナット（５）にて締付ける。尚，３、４、５の部品の表面は、鋼（板）材に錆止め処理をしている。
６の銅線は、献花の長い花茎の上・下部にて束をたばねる為に使用する。献花用の水（４０）にて腐らない為に使用する。【００１９】  図４の第２実施例は、墓石の花瓶台（２０）で献花用の花瓶の本体（１）との嵌めあわせでスキマの為に、花・花茎に横風が作用して花瓶の本体で墓石の花瓶台の挿入口元部がカタカタと音がし、また墓石の花瓶台材が脆いので欠けるのを防ぐ為の事例を示した。【００２０】  １１ＡのＯ（オ−）リングは、断面が円形のゴムまたは軟質の樹脂で製作の弾性材にて製作のもので墓石の花瓶台の花瓶の取付け口（２０ａ）の面取り（２０ｃ）面部に使用。
１２のカラ−は、前記のＯ（オ−）リングを花瓶の取付け口の面取り（２０ｃ）部に押さえて使用のもので、花瓶の本体に付着の花瓶の傘（１ａ）の内側に用いて行うもので防錆した鋼又は樹脂材にて製作されている。【００２１】  なお、１１Ｂのテ−パ付カラ−は、前記のＯ（オ−）リングと同じ目的のためのものであるが、より確実な問題を解消するときの第２の製品のもので同様の材質にて製作する。
Ｔは、墓石の花瓶台の取付け孔（φＤｂ）と花瓶の本体の外径（φＤｋ）のすきまの半分（１／２）で、θ１はテ−パ付カラ−及び墓石の花瓶台の面取り（２０ｃ）の角度と同じテ−パの角度で製作されているが墓石の花瓶台の面取り面の表面粗さの精度は殆ど要求しなく角度が大事である。【００２２】  図５（ｂ）に示すは、特に烏による弊害の為に考えたものである。
概要を述べると、献花用の花茎（３０ａ）をひも（６ａ）及びゴムバンド（６ｂ）で上・下部を縛り、上部側のひも（６ａ）に玉つき鎖（７）の一端を３ケ所に結んでいる。
他端の玉つき鎖は、花瓶の本体の上部に設けた３ケの孔（１ｃ）に結んで花・花茎（３０ａ）が花瓶の本体から烏などによる散乱をくい止めた考えたものである。
【図面の簡単な説明】
【００２３】
【図１】  本考案の第１実施例で、献花用の花瓶に献花を取付けの状態図。
【図２】  本考案の図１の断面Ａ−Ａを示す。
【図３】  本考案の図１の献花用の花瓶の構成部品の斜視図を示す。（ａ）（献花用の）花瓶の本体（１）  （ｂ）（蝶ナットの）取付板（４）  （ｃ）押さえ板（３）  （ｄ）Ｕ字形（ねじ付）バ−（２）  （ｅ）蝶ナット（５）
【図４】  花瓶の取付け孔と本考案の花瓶の本体の取付け時のガタつき防止例  （ａ）本考案の（押さえ）カラ−（１２）  （ｂ）本考案の第１（断面が円形の弾性体）のＯリング（１１Ａ）  （ｃ）本考案の墓石の献花用の花瓶の取付け口部の面取り（２０ｃ）  （ｄ）本考案の第２（弾性体の円錐体）のテ−パ付カラ−（１１Ｂ）
【図５】  墓石に献花の使用例  （ａ）献花用の花瓶に献花を取付け時の墓の正面外観図  （ｂ）献花に玉つき鎖を取付け花瓶に取付け前の状態図  （ｃ）献花用の花瓶取付け墓石に花瓶を取付け状態図
【符号の説明】
【００２４】  １  花瓶の本体      １ａ  花瓶の傘    １ｂ  （Ｕ字形バ−の）取付孔
２  Ｕ字形（ねじ付）バ−      ２ａ  ねじ                １ｃ  孔
３  押さえ板      ３ａ  ねじ孔    ３ｂ  凸部
４  （蝶ナット）取付板      ４ａ  ねじ孔
５  蝶ナット      ５ａ  ねじ
６  銅線      ６ａ  ひも    ６ｂ  ゴムバンド
７  玉つき鎖
１１  弾性（体）部材      １１Ａ  Ｏリング    １１Ｂ  テ−パ付カラ−
１２  カラ−
２０  墓石の花瓶台      ２０ａ  花瓶の取付け口    ２０ｃ  面取り
３０  献花      ３０ａ  （献花の）花茎
４０  水      ５０  墓石
【００２５】  Ｔ    （花瓶の取付け孔と花瓶本体の外径との）スキマの半分
φＤｋ  （花瓶本体の）外径
φＤｂ  （墓石の花瓶の）取付け孔
φＤ    カラ−の内径
Ｓ    （Ｕ字形バ−の）ねじ間の寸法      Ｓ１  孔間の寸法．．．．（Ｓ１＝Ｓ）
γ    （凸部の山の）角度
Ｈ    （押さえ板の）高さ
θ    面取角        θ１  （テ−パの）角度
Ｒ    （Ｕ字形の曲げ）半径
φｄ    （Ｏリングの）線径      φＤｏ  （Ｏリングの）内径
φｄ１  （テ−パ付カラ−の）内径
Ｈ１  （高さの）寸法      Ｈ２  寸法
ｔ    （厚さの）寸法
Ｌ    （取付板の曲げの）長さ
【図１】
0003148234.tif 000003
【図２】
0003148234.tif 000004
【図３】
0003148234.tif 000005
【図４】
0003148234.tif 000006
【図５】
0003148234.tif 000007
【手続補正書】
【提出日】平成20年10月29日(2008.10.29)
【手続補正１】
【補正対象書類名】実用新案登録請求の範囲
【補正対象項目名】全文
【補正方法】変更
【補正の内容】
【実用新案登録請求の範囲】
【請求項１】
墓石などの花瓶台に使用の花茎の長い献花用の花に使用する長筒状の花瓶に於いて、
イ）献花の花茎の挿入口部にＵ字形バーの取付孔を持つ長筒状の花瓶の本体に、
ロ）断面がＶ字形で両端部にＵ字形バーの取付孔がある押さえ板、
ハ）断面がコ字形で両端部にはＵ字形バーの取付孔をもつ蝶ナットの取付板、
以上の構成部品をもって、
花瓶の本体に花茎の長い献花用の花を挿入し、花茎の束の外周をＵ字形バーの曲げの半径Ｒ内と押さえ板で挟み、花瓶の本体の外側で取付板上の蝶ナットを締きあげることで、
献花用の花茎を長筒状の花瓶に固定する事が出来るを特徴とする献花用の花立て。
【請求項２】
イ）花瓶の取付け側に面取角θ＝６０度の円錐面を設ける墓石の花瓶台に、
ロ）墓石の花瓶台の面取り部の円錐面に弾性体部材をセットし、
ハ）花瓶の本体の花瓶の傘の内側に弾性体部材の押さえのカラーを使用し、
花茎の長い献花用の花を花瓶にセットし、花瓶の本体を上から軽く押さえてカタカタの動きを防止する弾性体部材の使用を特徴とする請求項１の献花用の花立て。